(57)【要約】【課題】ハードディスク保護ケース又はキャリングケースの底部に、開閉可能なインタフェースポート及びコネクタカバーを設けることにより、ケース内のハードディスクが、アダプタ又はケーブルを介してパソコン本体と直接接続して使用することができるハードディスクキャリングケース接続装置を提供する。【解決手段】ハードディスクキャリングケース接続装置は、シリアルインタフェース３１及びパラレルインタフェースが底部に設けられたハードディスクキャリングケース３と、シリアルアダプタ４とを備える。ハードディスクキャリングケース３に設けられたシリアルインタフェース３１及びパラレルインタフェースは、インタフェースポートを開閉するコネクタカバー３１１を有する。ハードディスクキャリングケース３内に設置されたシリアルＡＴＡハードディスク５は、シリアルアダプタ４に接続される。【選択図】図３
0003170665.tif 000002
【実用新案登録請求の範囲】
【請求項１】
ハードディスクキャリングケース一端面に設けられたシリアルインタフェース及びパラレルインタフェースと、シリアルアダプタ、とを備えることを特徴とするハードディスクキャリングケース接続装置。
【請求項２】
前記ハードディスクキャリングケースに設けられた前記シリアルインタフェース及び前記パラレルインタフェースは、インタフェースポートを開閉するコネクタカバーを有することを特徴とする請求項１に記載のハードディスクキャリングケース接続装置。
【請求項３】
前記ハードディスクキャリングケース内に設置されたシリアルＡＴＡハードディスクは、前記シリアルアダプタに接続され、
前記シリアルアダプタは、ＵＳＢケーブル及び電源ケーブルを有し、前記シリアルアダプタのシリアルコネクタが前記ハードディスクキャリングケースの前記シリアルインタフェースに挿入されて前記シリアルＡＴＡハードディスクのシリアルポートに接続し、前記ＵＳＢケーブルのＵＳＢコネクタをパソコン本体のＵＳＢポートに接続させ、前記電源ケーブルの電源コネクタを電源ポートに接続させることを特徴とする請求項１に記載のハードディスクキャリングケース接続装置。
【請求項４】
前記ハードディスクキャリングケース内に設置されたパラレルＡＴＡハードディスクのパラレルポート及び電源ポートは、前記ハードディスクキャリングケースの前記パラレルインタフェースを介してパソコン本体に接続されているパラレルＡＴＡケーブルコネクタ及び電源ケーブルコネクタと、接続されることを特徴とする請求項１に記載のハードディスクキャリングケース接続装置。
【請求項５】
前記ハードディスクキャリングケースに設けられた前記シリアルインタフェース及び前記パラレルインタフェースは、コネクタカバーが配置されずに開放状態であることを特徴とする請求項１に記載のハードディスクキャリングケース接続装置。
【請求項６】
前記ハードディスクキャリングケースにそれぞれ設けられた前記シリアルインタフェースと前記パラレルインタフェースとを一体化することにより間口の広いインタフェースを形成し、該間口の広いインタフェースにネクタカバーを取り付け、又は開放することを特徴とする請求項１に記載のハードディスクキャリングケース接続装置。
【考案の詳細な説明】
【技術分野】
【０００１】
本考案は、パソコンのハードディスクの保護ケース又はキャリングケースを、外付けハートディスクの接続装置として使用し、そのハードディスクの保護ケース又はキャリングケースの底部に、インタフェースポート又はコネクタカバーを有し、直接パソコン本体に接続して使用することができるハードディスクキャリングケース接続装置に関する。
【背景技術】
【０００２】
近年、情報科学技術の発展によりパソコンが普及し、パソコンがもたらす利便性を享受することができるようになった。しかし、パソコンを使用する際、データを記憶したり、記憶したデータを持ち運んで別の場所で使用することができるように、コンパクトディスク（ＣＤ）、ＤＶＤ（Ｄｉｇｉｔａｌ  Ｖｅｒｓａｔｉｌｅ  Ｄｉｓｋ）、サムドライブ（ＳＤ）及びハードディスク（ＨＤ）などの各種記憶媒体が開発されている。その中でも高効率で記憶容量が大きいハードディスクが最も普及している。
【０００３】
一般に携帯可能な情報記録媒体であるハードディスクドライブ（以下「ハードディスク」という）は、モービルラック（Ｍｏｂｉｌ  Ｈａｒｄ  Ｄｉｓｋ  Ｄｒｉｖｅｒ  Ｒａｃｋ）、外付けハードディスクドライブ（Ｅｘｔｅｒｎａｌ  Ｈａｒｄ  Ｄｉｓｋ  Ｄｒｉｖｅｒ）、ハードディスクドライブドッキングステーション（Ｄｏｃｋｉｎｇ  Ｈａｒｄ  Ｄｉｓｋ  Ｄｒｉｖｅｒ）などの携帯型記憶装置のことである。
【０００４】
上述のモービルラック及び外付けハードディスクドライブは、ハードディスクと駆動装置とが接続されて一体化されているため、駆動装置とハードディスクとを分離して操作したり持ち運んだりすることができない。モービルラックは、パソコン本体のトレイに結合して使用しなければならない。ハードディスクドライブドッキングステーションは、簡単な操作によりパソコンと分離したり移動したりすることができるが、図１及び図２に示すように、本体を保護し、移動させるのに便利である従来のハードディスクキャリングケース１が必要である。
【０００５】
上述したように、ハードディスク２を内部に収納する従来のハードディスクキャリングケース１は、使用する際、外付けハードディスクドライブ又はハードディスクドライブドッキングステーションと組合せなければ、パソコン本体、サーバ又はノートパソコンと接続して使用することができない。
そのため、余計なコストがかかるだけでなく、携帯して外出する際、一般のハードディスク２、ハードディスクキャリングケース１、外付けハードディスクドライブ、ハードディスクドライブドッキングステーション、各種ケーブル、電源供給装置などと一緒に携帯する必要があるため不便である。さらに、外付けハードディスクドライブ内に固定されたハードディスクには、名称、内容などの情報を記載することができないため、使用したり、保存したり管理したりする際に不便である。
【先行技術文献】
【特許文献】
【０００６】
【特許文献１】特開２００５−２０２９６１号公報
【考案の概要】
【考案が解決しようとする課題】
【０００７】
本考案の目的は、ハードディスク保護ケース又はキャリングケースの底部に、開閉可能なインタフェースポート及びコネクタカバーを設けることにより、ケース内のハードディスクが、アダプタ又はケーブルを介してパソコン本体と直接接続して使用することができるハードディスクキャリングケース接続装置を提供することにある。
【課題を解決するための手段】
【０００８】
上記課題を解決するために、本考案の第１の形態によれば、シリアルインタフェース及びパラレルインタフェースが底部に設けられたハードディスクキャリングケースと、シリアルアダプタと、を備えることを特徴とするハードディスクキャリングケース接続装置が提供される。
【０００９】
また、前記ハードディスクキャリングケースに設けられた前記シリアルインタフェース及び前記パラレルインタフェースは、インタフェースポートを開閉するコネクタカバーを有することが好ましい。
【００１０】
また、前記ハードディスクキャリングケース内に設置されたシリアルＡＴＡ（SATA：Sirial Advanced Technology Attachment）ハードディスクは、前記シリアルアダプタに接続され、前記シリアルアダプタは、ＵＳＢケーブル及び電源ケーブルを有し、前記シリアルアダプタのシリアルコネクタが前記ハードディスクキャリングケースの前記シリアルインタフェースに挿入され、前記シリアルＡＴＡハードディスクのシリアルポートに接続し、前記ＵＳＢケーブルのＵＳＢコネクタをパソコン本体のＵＳＢポートに接続させ、前記電源ケーブルの電源コネクタを電源ポートに接続させることが好ましい。
【００１１】
また、前記ハードディスクキャリングケース内にパラレルＡＴＡハードディスクが設置されると、パソコン本体に接続されているパラレルＡＴＡケーブルコネクタ及び電源ケーブルコネクタが、前記ハードディスクキャリングケースの前記パラレルインタフェースに挿入され、前記パラレルＡＴＡハードディスクのパラレルポート及び電源ポートに接続されることが好ましい。
【００１２】
また、前記ハードディスクキャリングケースに設けられた前記シリアルインタフェース及び前記パラレルインタフェースは、コネクタカバーが配置されずに開放状態であることが好ましい。
【００１３】
また、前記ハードディスクキャリングケースにそれぞれ設けられた前記シリアルインタフェースと前記パラレルインタフェースとを一体化することにより間口の広いインタフェースを形成し、前記間口の広いインタフェースに大きいサイズのコネクタカバーを取り付けたり取り付けなかったりすることが好ましい。
【図面の簡単な説明】
【００１４】
【図１】従来のハードディスクキャリングケースを示す斜視図である。
【図２】従来のハードディスクキャリングケース内にハードディスクを設置するときの状態を示す斜視図である。
【図３】本考案の第１実施形態によるハードディスクキャリングケース接続装置を示す分解斜視図である。
【図４】本考案の第２実施形態によるハードディスクキャリングケース接続装置を示す分解斜視図である。
【図５】本考案の第３実施形態によるハードディスクキャリングケース接続装置を示す斜視図である。
【考案を実施するための形態】
【００１５】
以下、本考案の実施形態について図に基づいて説明する。なお、これによって本考案が限定されるものではない。
【００１６】
図３及び図４を参照する。図３及び図４に示すように、本考案の一実施形態によるハードディスクキャリングケース接続装置は、シリアルインタフェース３１及びパラレルインタフェース３２が底部に設けられたハードディスクキャリングケース３と、シリアルアダプタ４と、を有する。
【００１７】
ハードディスクキャリングケース３に設けられたシリアルインタフェース３１及びパラレルインタフェース３２は、インタフェースポートを開閉するために用いるコネクタカバー３１１又はコネクタカバー３２１を有する。
【００１８】
（第１実施形態）
図３を参照する。図３に示すように、本考案の第１実施形態では、ハードディスクキャリングケース３内に設置されたシリアルＡＴＡハードディスク５は、シリアルアダプタ４に接続される。シリアルアダプタ４は、ユニバーサルシリアルバス（ＵＳＢ）ケーブル４２及び電源ケーブル４３を有する。シリアルアダプタ４のシリアルコネクタ４１を、ハードディスクキャリングケース３のシリアルインタフェース３１に挿入してシリアルＡＴＡハードディスク５のシリアルポート５１に接続し、ＵＳＢケーブル４２のＵＳＢコネクタ４２１及び電源ケーブル４３の電源コネクタ４３１を、パソコン本体のＵＳＢポート及び電源ポートに取り付けて接続する。
【００１９】
（第２実施形態）
図４を参照する。図４に示すように、本考案の第２実施形態では、ハードディスクキャリングケース３内にパラレルＡＴＡハードディスク６を設置する場合、パソコン本体に接続されているパラレルＡＴＡケーブルコネクタ７１及び電源ケーブルコネクタ７２をハードディスクキャリングケース３のパラレルインタフェース３２に挿入し、パラレルＡＴＡハードディスク６のパラレルポート６１及び電源ポート６２に取り付けて接続する。
【００２０】
上述のハードディスクキャリングケース３に設けられたシリアルインタフェース３１及びパラレルインタフェース３２は、コネクタカバー３１１及びコネクタカバー３２１を設けず、インタフェースポートを開放状態にしてもよい。
【００２１】
（第３実施形態）
図５を参照する。図５に示すように、本考案の第３実施形態では、ハードディスクキャリングケース３に設けられたシリアルインタフェース３１とパラレルインタフェース３２とを合わせて一体化することにより形成した間口の広いインタフェース３３に大きいサイズのコネクタカバー３３１が取り付けられているが、この態様だけに限定されるわけではなく、取り付けなくともよい。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  従来のハードディスクキャリングケース
２  一般のハードディスク
３  ハードディスクキャリングケース
４  シリアルアダプタ
５  シリアルＡＴＡハードディスク
６  パラレルＡＴＡハードディスク
３１  シリアルインタフェース
３２  パラレルインタフェース
３３  間口の広いインタフェース
４１  シリアルコネクタ
４２  ＵＳＢケーブル
４３  電源ケーブル
５１  シリアルポート
６１  パラレルポート
６２  電源ポート
７１  パラレルＡＴＡケーブルコネクタ
７２  電源ケーブルコネクタ
３１１  コネクタカバー
３２１  コネクタカバー
３３１  大きいサイズのコネクタカバー
４２１  ＵＳＢコネクタ
４３１  電源コネクタ
【図１】
0003170665.tif 000003
【図２】
0003170665.tif 000004
【図３】
0003170665.tif 000005
【図４】
0003170665.tif 000006
【図５】
0003170665.tif 000007